(57)【特許請求の範囲】
【請求項１】
木製キッチンカウンターに形成されたシンク取付け用の開口の周縁に、表面から木口にかけて防水テープが貼り付けられ、シンク取付け用の開口の周縁に載置されるシンクのフランジと防水テープとの間に止水部材が介設されることを特徴とする木製キッチンカウンターへのシンクの取付構造。
【請求項２】
止水部材の隣のシンク取付け用の開口寄りに弾性止水部材が並設され、弾性止水部材は、シンクのフランジと防水テープとの間に介在する請求項１記載の木製キッチンカウンターへのシンクの取付構造。
【発明の詳細な説明】
【技術分野】
【０００１】
本願発明は、木製キッチンカウンターに耐水性を付与してシンクを取り付けるための構造に関する。
【背景技術】
【０００２】
木製キッチンカウンターにシンクを取り付ける際には、木製キッチンカウンターに形成されたシンク取付け用の開口内にシンクを落とし込み、シンクのフランジをシンク取付け用の開口の周縁に載置して結合している。そして、シンクのフランジを伝って木製キッチンカウンターに向かう水がシンク取付け用の開口の周縁にしみ込み、木製キッチンカウンターを腐敗させたり、カビなどが発生したりすることがないように、シンク取付け用の開口の周縁を防水性の樹脂で被覆することが行われている（特許文献１）。
【特許文献１】特開昭５５−１２９０１５号公報
【発明の開示】
【発明が解決しようとする課題】
【０００３】
しかしながら、防水性の樹脂による被覆は、シンク取付け用の開口の周縁表面のみであり、開口周縁の木口は考慮されていない。開口周縁の木口の水濡れからの保護は、木製キッチンカウンターへの耐水性の付与をより確実とするために重要である。また、特許文献１に記載された防水性の樹脂による被覆は、プロセスがやや煩雑であり、コストに反映するため、簡便に木製キッチンカウンターに防水性を付与することが望まれる。
【０００４】
本願発明は、このような事情に鑑みてなされたものであり、木製キッチンカウンターへの防水性の付与をより確実にし、しかも防水性の付与を簡便に実現することができる木製キッチンカウンターへのシンクの取付構造を提供することを課題としている。
【課題を解決するための手段】
【０００５】
本願発明は、上記の課題を解決するために、第１に、木製キッチンカウンターに形成されたシンク取付け用の開口の周縁に、表面から木口にかけて防水テープが貼り付けられ、シンク取付け用の開口の周縁に載置されるシンクのフランジと防水テープとの間に止水部材が介設されることを特徴としている。
【０００６】
本願発明は、第２に、止水部材の隣のシンク取付け用の開口寄りに弾性止水部材が並設され、弾性止水部材は、シンクのフランジと防水テープとの間に介在することを特徴としている。
【発明の効果】
【０００７】
本願の第１の発明によれば、シンク取付け用の開口の周縁に表面から木口にかけて防水テープが貼り付けられるため、シンク取付け用の開口の周縁木口も保護され、木口に防水性が付与される。そして、シンク取付け用の開口の周縁に載置されるシンクのフランジとの間に止水部材が介設されるので、防水テープとの併用により、木製キッチンカウンターへの防水性の付与がより確実となり、しかも防水性の付与が簡便に実現される。
【０００８】
本願の第２の発明によれば、止水部材の隣のシンク取付け用の開口寄りに弾性止水部材が並設され、弾性止水部材は、シンクのフランジと防水テープとの間に介在するため、木製キッチンカウンターに付与される防水性が一層高まるとともに、弾性止水部材は、温度、湿度などの周囲の環境変化に容易に追随することができるので、防水性が長期間にわたって安定に保持される。
【発明を実施するための最良の形態】
【０００９】
図１は、本願発明の木製キッチンカウンターへのシンクの取付構造の一実施形態を示した平面図である。図２は、図１図中のＡ−Ａ断面図である。
【００１０】
木製キッチンカウンター１には、シンク取付け用の略矩形形状を有する開口２が形成されている。シンク３は、開口２内に落とし込まれ、外周の外側にのびるフランジ３１が開口２の周縁に載置されて木製キッチンカウンター１に結合されている。
【００１１】
フランジ３１は、図２に示したように、外周端において斜め下方に折れ曲がり、傾斜部３２を形成し、傾斜部３２から裏に回り込んで二重に重なり、傾斜部３２の内側において下方に垂下し、連結片３３を形成している。フランジ３１の木製キッチンカウンター１への結合は、連結片３３を介して行われる。
【００１２】
木製キッチンカウンター１には、開口２の周縁木口に対向して配置されるバネ片４１および挟持片４２を備えた支持具４が配設されている。支持具４においてバネ片４１は、挟持片４２よりわずかに外側に配置されており、バネ片４１と挟持片４２との間に部材の差込みが可能とされ、差し込まれた部材に対してバネ片４１が有する弾性力を作用させ、バネ片４１と挟持片４２との間に部材を挟持するようになっている。このような支持具４は、固定具５によって木製キッチンカウンター１に固定されている。
【００１３】
すなわち、支持具４は、バネ片４１および挟持片４２の下端から略直角にのびる接続片４３を備えてもおり、接続片４３には、ボルト孔４４が形成され、ボルト孔４４とネジ穴を同軸上に配置してナット４５が固定されている。
【００１４】
固定具５は、断面略コ字型の形状を有し、互いに対向する上片５１、下片５２のそれぞれに同軸上にボルト孔が形成されている。下片５２は、上片５１に比べ幅広としており、略中央部から斜め上方に傾斜し、先端に略直角に立ち上がる引っ掛け部５３を有している。
【００１５】
支持具４の取付けに際しては、まず、固定具５の下片５２の引っ掛け部５３を開口２の周縁の木製キッチンカウンター１の裏面に引っ掛け、固定具５を開口２の内側に配置する。次いで、支持具４の接続片４３を固定具５の上片５１と下片５２との間に配置するとともに、バネ片４１および挟持片４２を開口２の周縁木口に対向配置する。この後、ボルト６を固定具５の下片５２の下側から挿入し、支持具４の接続片４３に固定されたナット４５のネジ穴にねじ込み、上端部を上片５１から上側に貫通させる。こうして、支持具４は、開口２の内側に配置されて木製キッチンカウンター１に固定される。
【００１６】
なお、固定具５の下片５２は、木製キッチンカウンター１が配設されるキャビネット本体の収納スペースに入り込まないように、木製キッチンカウンター１の下端より下方に突出しないことが好ましい。このために、木製キッチンカウンター１の開口２の周縁裏面部には切欠１１を形成しておくことができる。
【００１７】
シンク３は、連結片３３を、以上のようにして木製キッチンカウンター１に取り付けられた支持具４のバネ片４１と挟持片４２との間に差し込み、バネ片４１に発生する弾性力により挟持片４２との間に挟持させることによって、木製キッチンカウンター１に十分な結合力で結合される。
【００１８】
そして、図１および図２に示した木製キッチンカウンターへのシンクの取付構造では、開口２の周縁に表面から木口にかけて防水テープ７が貼り付けられる。防水テープ７には、たとえばアクリル樹脂製などの防水性を有するテープが使用可能である。エースクロス０７１粗面用（光洋化学製）などが具体的に例示される。防水テープ７の貼付は支持具４の取付け以前に行われる。このように、開口２の周縁に表面から木口にかけて防水テープ７が貼り付けられるため、開口２の周縁木口も保護され、木口にも防水性が付与される。
【００１９】
また、図１および図２に示した木製キッチンカウンターへのシンクの取付構造では、開口２の周縁に載置されるシンク３のフランジ３１と防水テープ７との間に止水部材８が介設される。止水部材８は、たとえばブチルゴムなどの防水性を有する素材から形成されたものが使用可能である。サンタックシーラφ３（早川ゴム製）などが具体的に例示される。止水部材８の配設は、木製キッチンカウンター１にシンク３を結合する際に行う。また、止水部材８の配設位置は、フランジ３１を伝って流れる水が裏側に回りこんで開口２の周縁に向かうのを阻止するために、フランジ３１の外周端に位置する傾斜部３２の内側とするのが適当である。
【００２０】
このような開口２の周縁に表面から木口にかけて貼り付けられた防水テープ７と、開口２の周縁に載置されるシンク３のフランジ３１との間に介設される止水部材８とによって、図１および図２に示した木製キッチンカウンターへのシンクの取付構造では、木製キッチンカウンター１への防水性の付与がより確実となり、しかも防水性の付与が簡便に実現される。
【００２１】
なお、図１および図２に示した木製キッチンカウンターへのシンクの取付構造では、止水部材８の隣の開口２寄りに弾性止水部材９を並設することができる。弾性止水部材９も、シンク３のフランジ３１を木製キッチンカウンター１に結合する際に、防水テープ７との間に介在させることができる。弾性止水部材９は、たとえばスポンジ状などの弾性を有する防水性の部材であり、エプトシーラーＥＰ−１０１０（日東電工製）などが具体的に例示される。弾性止水部材９によって、木製キッチンカウンター１に付与される防水性が一層高まるとともに、弾性止水部材９は、温度、湿度などの周囲の環境変化に容易に追随することができるので、防水性が長期間にわたって安定に保持される。
【００２２】
木製キッチンカウンター１は、たとえば合板１２の表裏面に突板が貼着され、木口に無垢材１３が貼着されたものとすることができる。このような木製キッチンカウンター１では、シンク３のフランジ３１を伝って木製キッチンカウンター１の表面を流れ、裏面に水が回り込むのを防止するために、前端裏面部に凹溝１４を刻設することができる。この場合、凹溝１４の刻設によって合板１２が露出することになるので、凹溝１４には、断面略コ字型の形状を有するアルミニウムなどの軽量金属から形成された止水桟１０を嵌め込むことができる。
【図面の簡単な説明】
【００２３】
【図１】本願発明の木製キッチンカウンターへのシンクの取付構造の一実施形態を示した平面図である。
【図２】図１図中のＡ−Ａ断面図である。
【符号の説明】
【００２４】
１    木製キッチンカウンター
１１    切欠
１２    合板
１３    無垢材
１４    凹溝
２    開口
３    シンク
３１    フランジ
３２    傾斜部
３３    連結片
４    支持具
４１    バネ片
４２    挟持片
４３    接続片
４４    ボルト孔
４５    ナット
５    固定具
５１    上片
５２    下片
５３    引っ掛け部
６    ボルト
７    防水テープ
８    止水部材
９    弾性止水部材
１０    止水桟
【図１】
0004674566.tif 000002
【図２】
0004674566.tif 000003